(57)【要約】【課題】複数の機能設定から初期値と異なる現在設定値に変更した機能設定を確認する作業負担を大幅に軽減できる電子制御機器を提供する。【解決手段】機能設定毎に初期値を記憶する初期値メモリ１１と、機能設定の初期値に基づき、同機能設定の現在設定値を記憶する現在設定値メモリ１２と、機能設定の現在設定値を変更する設定値変更部１７Ｂと、この変更した機能設定の現在設定値を現在設定値メモリに記憶更新するメモリ制御部１５と、機能設定の現在設定値に基づき、制御動作を実行する制御部１７とを備えた温度調節器１であって、所定操作に応じて、記憶中の機能設定の現在設定値に関わる設定画面を表示部１３に順次表示する場合、同機能設定の初期値と同機能設定の現在設定値とを比較し、同機能設定の現在設定値が同機能設定の初期値と異なる場合、同現在設定値の他に変更ステータスを含む機能設定の設定画面を表示部に表示するものである。【選択図】図１
2008269301.tif 000002
【特許請求の範囲】
【請求項１】
機能設定毎に基準値を記憶する基準値記憶手段と、この基準値記憶手段に記憶中の前記機能設定の基準値に基づき、同機能設定の現在設定値を記憶する現在設定値記憶手段と、前記現在設定値記憶手段に記憶中の前記機能設定の現在設定値を変更する現在設定値変更手段と、この現在設定値変更手段にて変更した前記機能設定の現在設定値を前記現在設定値記憶手段に記憶更新する記憶更新手段と、前記現在設定値記憶手段に記憶中の前記機能設定の現在設定値に基づき、制御動作を実行する制御手段とを有し、前記制御手段は、所定操作に応じて、前記現在設定値記憶手段に記憶中の前記機能設定の現在設定値を表示手段に表示する電子制御機器であって、
前記現在設定値記憶手段に記憶中の前記機能設定の現在設定値を前記表示手段に表示する場合、同機能設定の基準値を前記基準値記憶手段から読み出し、この読み出した同機能設定の基準値と、同機能設定の現在設定値とを比較する比較手段と、
この比較手段にて同機能設定の現在設定値が同機能設定の基準値と異なる場合、同機能設定の現在設定値が同機能設定の基準値と異なる旨を報知する報知手段とを有することを特徴とする電子制御機器。
【請求項２】
前記制御手段は、
第１所定操作に応じて、前記現在設定値記憶手段に記憶中の機能設定毎の現在設定値を順次読み出し、この読み出した現在設定値を前記表示手段に順次表示すると共に、
第２所定操作に応じて、前記現在設定値記憶手段に記憶中の機能設定毎の現在設定値を前記表示手段に順次表示する際に、前記比較手段にて同機能設定の現在設定値が同機能設定の基準値と異なる場合にのみ、同機能設定の現在設定値を前記表示手段に順次表示することを特徴とする請求項１記載の電子制御機器。
【請求項３】
前記報知手段は、
前記比較手段にて前記機能設定の現在設定値が同機能設定の基準値と異なる場合、同機能設定の現在設定値が同機能設定の基準値と異なる旨を前記表示手段に識別表示させることを特徴とする請求項１又は２記載の電子制御機器。
【請求項４】
前記報知手段は、
前記機能設定の現在設定値が同機能設定の基準値と異なる旨をステータス表示で前記表示手段に識別表示させることを特徴とする請求項３記載の電子制御機器。
【請求項５】
前記報知手段は、
前記機能設定の現在設定値が同機能設定の基準値と異なる旨を色変化で前記表示手段に識別表示させることを特徴とする請求項３記載の電子制御機器。
【請求項６】
前記報知手段は、
前記比較手段にて前記機能設定の現在設定値が同機能設定の基準値と異なる場合、同機能設定の現在設定値が同機能設定の基準値と異なる旨を音響出力することを特徴とする請求項１又は２記載の電子制御機器。
【発明の詳細な説明】
【技術分野】
【０００１】
本発明は、例えば機能設定毎に現在設定値の初期値を初期値メモリに記憶しておき、この初期値メモリに記憶中の初期値に基づき現在設定値を変更して現在設定値メモリに記憶し、この記憶中の現在設定値に基づき、各種制御動作を実行する、例えばＦＡ（工場自動化）システムに使用される温度調節器、タイマカウンタやデジタルパネルメータ等の電子制御機器に関する。
【背景技術】
【０００２】
図７は近年の電子制御機器として本出願人が提案した温度調節器内部の概略構成を示すブロック図である。
【０００３】
図７に示す温度調節器１００としては、例えば制御盤の盤面にオンパネル構造で配置し、機能設定毎に、例えば工場出荷時に設定値の初期値を記憶した初期値メモリ１０１と、この初期値メモリ１０１に記憶中の機能設定毎の初期値に基づき、同機能設定の現在設定値を記憶する現在設定値メモリ１０２と、現在設定値メモリ１０２に記憶中の機能設定毎の現在設定値を表示する表示部１０３と、様々なコマンドを入力する操作部１０４と、初期値メモリ１０１及び現在設定値メモリ１０２をメモリ制御するメモリ制御部１０５と、表示部１０３を表示制御する表示制御部１０６と、この温度調節器１００全体を制御する制御部１０７とを有し、制御部１０７は、操作部１０４の所定表示操作を検出する度に、現在設定値メモリ１０２に記憶中の機能設定毎の現在設定値を順次読み出し、この読み出した現在設定値の設定画面を、機能設定毎に表示部１０３に表示すると共に、この現在設定値メモリ１０２に記憶中の機能設定毎の現在設定値に基づき、各種機能動作を実行するものである（例えば非特許文献１参照）。
【０００４】
また、制御部１０７は、例えば機能設定Ａの初期値を“１０００”、機能設定Ｂの初期値を“１０００”、機能設定Ｃの初期値を“１０００”、機能設定Ｄの初期値を“１０００”とした場合、初期設定時では、操作部１０４の所定表示操作を検出する度に、現在設定値メモリ１０２から機能設定毎の現在設定値を順次読み出し、この順次読み出した機能設定毎の現在設定値の設定画面、図８に示すように機能設定Ａの現在設定値“１０００”の設定画面（ステップＳ１０１）→機能設定Ｂの現在設定値“１０００”の設定画面（ステップＳ１０２）→機能設定Ｃの現在設定値“１０００”の設定画面（ステップＳ１０３）→機能設定Ｄの現在設定値“１０００”の設定画面（ステップＳ１０４）→…といった具合に、表示制御部１０６を通じて機能設定毎の設定画面を表示部１０３に順次切替表示することになる。
【０００５】
また、制御部１０７は、複数の機能設定の内、例えば機能設定Ａの現在設定値を変更する場合、操作部１０４の所定表示操作に応じて機能設定Ａの設定画面を表示部１０３に表示し、この設定画面上で機能設定Ａの現在設定値を“１０００”から“１２３４”に変更し、この変更後の現在設定値を、メモリ制御部１０５を通じて機能設定Ａの現在設定値として現在設定値メモリ１０２に記憶更新することになる。
【０００６】
さらに、制御部１０７は、例えば機能設定Ａ及び機能設定Ｃの現在設定値を変更した場合、現在設定値メモリ１０２内に機能設定Ａ及び機能設定Ｃの変更後の現在設定値を記憶更新していることになるため、操作部１０４の所定表示操作を検出する度に、現在設定値メモリ１０２から機能設定毎の現在設定値を順次読み出し、この順次読み出した機能設定の現在設定値の設定画面、図９に示すように機能設定Ａの現在設定値“１２３４”の設定画面（ステップＳ１１１）→機能設定Ｂの現在設定値“１０００”の設定画面（ステップＳ１１２）→機能設定Ｃの現在設定値“１２００”の設定画面（ステップＳ１１３）→機能設定Ｄの現在設定値“１０００”の設定画面（ステップＳ１１４）→…といった具合に、表示制御部１０６を通じて機能設定毎の設定画面を表示部１０３に順次切替表示することになる。
【０００７】
このような近年の温度調節器１００によれば、複数の機能設定から任意の機能設定の現在設定値を設定画面上で変更する場合、機能設定毎に現在設定値を現在設定値メモリ１０２から順次読み出し、この順次読み出した機能設定毎の設定画面を表示部１０３に順次切替表示し、変更対象の機能設定の設定画面を表示した際に、この表示中の設定画面上で機能設定の現在設定値を変更し、この変更した現在設定値を現在設定値メモリ１０２に記憶更新するようにしたので、温度調節器１００側のユーザは、現在設定値メモリ１０２に記憶中の機能設定毎の現在設定値を同機能設定の初期値に基づき変更することができる。
【非特許文献１】オムロン株式会社、“サーマックＮＥＯ形Ｅ５ＣＮ／Ｅ５ＣＮ−Ｕ／Ｅ５ＥＮ／Ｅ５ＡＮ／Ｅ５ＧＮ操作編”、［ｏｎｌｉｎｅ］、平成１８年６月、オムロン株式会社、［平成１９年４月１７日検索］、インターネット＜ＵＲＬ：http://www.fa.omron.co.jp/data_pdf/cat/e5cn_e5en_e5an_e5gn_2.pdf＞
【発明の開示】
【発明が解決しようとする課題】
【０００８】
しかしながら、このような近年の温度調節器１００においては、高機能化に伴って機能設定毎の初期値（現在設定値）の設定個数が増大していることから、図８に示すように機能設定Ａの設定画面→機能設定Ｂの設定画面→機能設定Ｃの設定画面→…といった具合に機能設定毎に設定画面を切替表示する操作ステップも増大し、例えば初期値と異なる現在設定値に変更したことに伴うトラブルが発生した場合、どの機能設定の現在設定値を変更したか否かを機能設定毎に設定画面を切替表示することで確認することになるが、初期値と異なる現在設定値に変更した機能設定を確認する場合、設定画面上の現在設定値と初期値とをユーザ自身が見比べて確認する必要があるため、その確認作業は非常に手間がかかる。
【０００９】
また、温度調節器１００に、例えばパソコン端末を接続し、同パソコン端末の端末画面上で機能設定毎の現在設定値を一覧表示することも考えられるが、初期値と異なる現在設定値に変更したことに伴うトラブルが発生した場合、どの機能設定の現在設定値を変更したか否かを確認するには、わざわざ温度調節器１００にパソコン端末を接続する接続作業を要し、しかも、仮に機能設定毎の現在設定値を端末画面上で一覧表示できたとしても、初期値と異なる現在設定値に変更した機能設定を確認する場合、端末画面上で現在設定値と初期値とをユーザ自身が見比べて確認する必要があるため、その確認作業は非常に手間がかかる。
【００１０】
本発明は上記点に鑑みてなされたものであり、その目的とするところは、特別な機器を要することなく、複数の機能設定から初期値（基準値）と異なる現在設定値に変更した機能設定を確認するユーザの作業負担を大幅に軽減することができる電子制御機器を提供することにある。
【課題を解決するための手段】
【００１１】
上記目的を達成するために本願請求項１記載の電子制御機器は、機能設定毎に基準値を記憶する基準値記憶手段と、この基準値記憶手段に記憶中の前記機能設定の基準値に基づき、同機能設定の現在設定値を記憶する現在設定値記憶手段と、前記現在設定値記憶手段に記憶中の前記機能設定の現在設定値を変更する現在設定値変更手段と、この現在設定値変更手段にて変更した前記機能設定の現在設定値を前記現在設定値記憶手段に記憶更新する記憶更新手段と、前記現在設定値記憶手段に記憶中の前記機能設定の現在設定値に基づき、制御動作を実行する制御手段とを有し、前記制御手段は、所定操作に応じて、前記現在設定値記憶手段に記憶中の前記機能設定の現在設定値を表示手段に表示する電子制御機器であって、前記現在設定値記憶手段に記憶中の前記機能設定の現在設定値を前記表示手段に表示する場合、同機能設定の基準値を前記基準値記憶手段から読み出し、この読み出した同機能設定の基準値と、同機能設定の現在設定値とを比較する比較手段と、この比較手段にて同機能設定の現在設定値が同機能設定の基準値と異なる場合、同機能設定の現在設定値が同機能設定の基準値と異なる旨を報知する報知手段とを有するようにした。
【００１２】
従って、本願請求項１記載の電子制御機器によれば、前記現在設定値記憶手段に記憶中の前記機能設定の現在設定値を前記表示手段に表示する場合、同機能設定の基準値を前記基準値記憶手段から読み出し、この読み出した同機能設定の基準値と、同機能設定の現在設定値とを比較し、同機能設定の現在設定値が同機能設定の基準値と異なる場合、同機能設定の現在設定値が同機能設定の基準値と異なる旨を報知するようにしたので、電子制御機器側のユーザは、報知内容に基づき、特別な機器を要することなく、複数の機能設定から基準値と異なる現在設定値に変更した機能設定を確認する作業負担を大幅に軽減することができる。
【００１３】
また、本願請求項２記載の電子制御機器は、上記請求項１記載の構成に加えて、前記制御手段は、第１所定操作に応じて、前記現在設定値記憶手段に記憶中の機能設定毎の現在設定値を順次読み出し、この読み出した現在設定値を前記表示手段に順次表示すると共に、第２所定操作に応じて、前記現在設定値記憶手段に記憶中の機能設定毎の現在設定値を前記表示手段に順次表示する際に、前記比較手段にて同機能設定の現在設定値が同機能設定の基準値と異なる場合にのみ、同機能設定の現在設定値を前記表示手段に順次表示するようにした。
【００１４】
従って、本願請求項２記載の電子制御機器によれば、上記請求項１記載の効果に加えて、第１所定操作に応じて、前記現在設定値記憶手段に記憶中の機能設定毎の現在設定値を順次読み出し、この読み出した現在設定値を前記表示手段に順次表示すると共に、第２所定操作に応じて、前記現在設定値記憶手段に記憶中の機能設定毎の現在設定値を前記表示手段に順次表示する際に、同機能設定の現在設定値が同機能設定の基準値と異なる場合にのみ、同機能設定の現在設定値を前記表示手段に順次表示するようにしたので、電子制御機器側のユーザは、第１所定操作に応じて機能設定毎の現在設定値を順次認識することができると共に、第２所定操作に応じて基準値と異なる現在設定値に変更した機能設定を容易に順次認識することができる。
【００１５】
また、本願請求項３記載の電子制御機器は、本願請求項１又は２記載の構成に加えて、前記報知手段は、前記比較手段にて前記機能設定の現在設定値が同機能設定の基準値と異なる場合、同機能設定の現在設定値が同機能設定の基準値と異なる旨を前記表示手段に識別表示させるようにした。
【００１６】
従って、本願請求項３記載の電子制御機器によれば、本願請求項１又は２記載の効果に加えて、前記機能設定の現在設定値が同機能設定値の基準値と異なる場合、同機能設定の現在設定値が同機能設定の基準値と異なる旨を表示手段に識別表示させるようにしたので、電子制御機器側のユーザは、表示手段の識別表示で、複数の機能設定から基準値と異なる現在設定値に変更した機能設定を確認する作業負担を大幅に軽減することができる。
【００１７】
また、本願請求項４記載の電子制御機器は、本願請求項３記載の構成に加えて、前記報知手段は、前記機能設定の現在設定値が同機能設定の基準値と異なる旨をステータス表示で前記表示手段に識別表示させるようにした。
【００１８】
従って、本願請求項４記載の電子制御機器によれば、本願請求項３記載の効果に加えて、前記機能設定の現在設定値が同機能設定の基準値と異なる旨をステータス表示で前記表示手段に識別表示させるようにしたので、電子制御機器側のユーザは、ステータス表示で、複数の機能設定から基準値と異なる現在設定値に変更した機能設定を確認する作業負担を大幅に軽減することができる。
【００１９】
また、本願請求項５記載の電子制御機器は、本願請求項３記載の構成に加えて、前記報知手段は、前記機能設定の現在設定値が同機能設定の基準値と異なる旨を表示色変化で前記表示手段に識別表示させるようにした。
【００２０】
従って、本願請求項５記載の電子制御機器によれば、本願請求項３記載の効果に加えて、前記機能設定の現在設定値が同機能設定の基準値と異なる旨を表示色変化で前記表示手段に識別表示させるようにしたので、電子制御機器側のユーザは、表示手段の表示色変化で、複数の機能設定から基準値と異なる現在設定値に変更した機能設定を確認する作業負担を大幅に軽減することができる。
【００２１】
また、本願請求項６記載の電子制御機器は、本願請求項１又は２記載の構成に加えて、前記報知手段は、前記比較手段にて前記機能設定の現在設定値が同機能設定の基準値と異なる場合、同機能設定の現在設定値が同機能設定の基準値と異なる旨を音響出力するようにした。
【００２２】
従って、本願請求項６記載の電子制御機器によれば、本願請求項１又は２記載の効果に加えて、前記機能設定の現在設定値が同機能設定の基準値と異なる場合、同機能設定の現在設定値が同機能設定の基準値と異なる旨を音響出力するようにしたので、電子制御機器側のユーザは、音響出力で、複数の機能設定から基準値と異なる現在設定値に変更した機能設定を確認する作業負担を大幅に軽減することができる。
【発明の効果】
【００２３】
上記のように構成された本発明の電子制御機器によれば、前記現在設定値記憶手段に記憶中の前記機能設定の現在設定値を前記表示手段に表示する場合、同機能設定の現在設定値が同機能設定の基準値と異なる場合、同機能設定の現在設定値が同機能設定の基準値と異なる旨を報知するようにしたので、電子制御機器側のユーザは、報知内容に基づき、特別な機器を要することなく、複数の機能設定から基準値と異なる現在設定値に変更した機能設定を確認する作業負担を大幅に軽減することができる。
【発明を実施するための最良の形態】
【００２４】
以下、図面に基づいて本発明の電子制御機器に関わる実施の形態を示す温度調節器について説明する。図１は本実施の形態を示す温度調節器内部の概略構成を示すブロック図、図２は同温度調節器の正面図である。
【００２５】
図１に示す温度調節器１は、例えば図示せぬヒータの温度を検出し、この検出温度が目標温度となるようにヒータを温度制御する温度調節機能を備え、機能設定毎に初期値を記憶した初期値メモリ１１と、この初期値メモリ１１に記憶中の機能設定の初期値に基づき、同機能設定の現在設定値を記憶する現在設定値メモリ１２と、様々な情報を表示する表示部１３と、様々な情報を入力する操作部１４と、初期値メモリ１１及び現在設定値メモリ１２をメモリ制御するメモリ制御部１５と、表示部１３を表示制御する表示制御部１６と、この温度調節器１全体を制御する制御部１７とを有している。
【００２６】
初期値メモリ１１は、例えば工場出荷時に設定した機能設定毎の初期値を記憶した、例えば不揮発性メモリに相当するものである。
【００２７】
現在設定値メモリ１２は、温度調節器１の運転時に使用する機能設定毎の現在設定値を記憶するランダムアクセスメモリに相当し、初期設定時では、初期値メモリ１１に記憶中の機能設定毎の初期値を読み出し、この読み出した機能設定毎の初期値を現在設定値として記憶するものである。
【００２８】
制御部１７は、温度調節機能の制御を司る温調制御部１７Ａと、操作部１４を通じて現在設定値メモリ１２に記憶中の機能設定の現在設定値を変更する設定値変更部１７Ｂと、操作部１４を通じて現在設定値メモリ１２に記憶中の機能設定の現在設定値を表示部１３に表示する場合、メモリ制御部１５を通じて同機能設定の初期値を初期値メモリ１１から読み出し、この読み出した機能設定の初期値と同機能設定の現在設定値とを比較する比較部１７Ｃとを有している。
【００２９】
温調制御部１７Ａは、現在設定値メモリ１２に記憶中の現在設定値に基づき、機能設定毎に各種制御動作を実行するものである。例えば機能設定がヒータの温度調節機能設定の場合、温調制御部１７Ａは、ヒータの検出温度が目標温度（現在設定値）となるようにヒータを駆動制御するものである。
【００３０】
制御部１７は、操作部１４を通じて現在設定値メモリ１２に記憶中の機能設定の現在設定値を順次読み出し、この読み出した機能設定毎の現在設定値を含む設定画面を表示部１３に順次表示するものである。
【００３１】
制御部１７は、機能設定毎の設定画面を表示部１３に順次表示する場合、比較部１７Ｃを通じて同機能設定に対応する初期値を初期値メモリ１１から読み出し、この読み出した同機能設定の初期値と同機能設定の現在設定値とを比較し、同機能設定の現在設定値が機能設定の基準値と異なる場合、機能設定の現在設定値及び変更ステータスを含む設定画面を表示部１３に表示するものである。
【００３２】
また、設定値変更部１７Ｂは、機能設定毎の設定画面を表示部１３に順次表示する場合、この表示部１３に表示中の設定画面上の現在設定値を、操作部１４を通じて変更し、メモリ制御部１５を通じて、この変更した機能設定の現在設定値を現在設定値メモリ１２に記憶更新するものである。
【００３３】
図２に示す温度調節器１の正面には、表示部１３及び操作部１４を配置し、操作部１４は、設定レベルを切り替えるレベルキー１４Ａと、設定レベル内の各機能設定の設定画面を切り替えるモードキー１４Ｂと、設定画面上で機能設定毎の現在設定値をアップ入力するアップキー１４Ｃと、設定画面上で機能設定毎の現在設定値をダウン入力するダウンキー１４Ｄとを有している。
【００３４】
レベルキー１４Ａは、各種運転レベルを変更するキー操作に相当し、各種運転レベルの内、機能設定毎の設定画面を表示する設定レベルを指定するものである。
【００３５】
モードキー１４Ｂは、設定レベル内の複数の機能設定、例えばＡ機能設定→Ｂ機能設定→Ｃ機能設定→Ｄ機能設定→…の場合、同モードキー１４Ｂのキー操作に応じて、図３に示すようにＡ機能設定の設定画面（ステップＳ１）→Ｂ機能設定の設定画面（ステップＳ２）→Ｃ機能設定の設定画面（ステップＳ３）→Ｄ機能設定の設定画面（ステップＳ４）…のように、機能設定毎に設定画面を表示部１３に順次切替表示するキーに相当するものである。
【００３６】
アップキー１４Ｃは、表示部１３に表示中の設定画面上で機能設定の現在設定値の値をアップするキーに相当し、ダウンキー１４Ｄは、表示部１３に表示中の設定画面上で機能設定の現在設定値の値をダウンするキーに相当するものである。
【００３７】
制御部１７は、通常設定レベル中のモードキー１４Ｂのキー操作、すなわち第１表示操作を検出すると、メモリ制御部１５を通じて、現在設定値メモリ１２に記憶中の機能設定の現在設定値を順次読み出し、この読み出した機能設定の現在設定値を含む設定画面を、表示制御部１６を通じて表示部１３に順次表示するものである。尚、通常設定レベルは、レベルキー１４Ａのキー操作で指定するものである。
【００３８】
制御部１７は、モードキー１４Ｂのキー操作に応じて現在設定値メモリ１２から読み出した機能設定の現在設定値を読み出し、この機能設定の現在設定値を含む設定画面を表示部１３に表示する際に、比較部１７Ｃを通じて同機能設定の現在設定値が同機能設定の初期値と異なる場合、図３に示すように同機能設定の現在設定値５１の他に変更ステータス５２を含む設定画面（ステップＳ１参照）を表示部１３に表示するものである。尚、図３のステップＳ１では、機能設定Ａの初期値を“１０００”とした場合、初期値変更後の現在設定値が“１２３４”であることから、現在設定値が初期値と異なるため、現在設定値５１の他にステータス表示５１を設定画面上に表示する例を示している。
【００３９】
また、制御部１７は、比較部１７Ｃを通じて同機能設定の現在設定値が同機能設定の初期値と同一の場合、現在設定値が初期値のままであると判断し、図３に示すように同機能設定の現在設定値５１を含む設定画面（ステップＳ２参照）を表示部１３に表示するものである。尚、図３のステップＳ２では、機能設定Ｂの初期値を“１０００”とした場合、現在設定値が“１０００”として初期値と同一であることから、現在設定値５１を設定画面上に表示する例を示している。
【００４０】
また、制御部１７の設定値変更部１７Ｂは、任意の機能設定の現在設定値を含む設定画面を表示部１３に表示中に、アップキー１４Ｃ又はダウンキー１４Ｄのキー操作、すなわち現在設定値変更操作を検出すると、同表示部１３に表示中の現在設定値の値を変更した変更後の現在設定値の設定画面を表示部１３に表示するものである。
【００４１】
さらに、制御部１７は、変更後の現在設定値を表示部１３に表示した後、再度、モードキー１４Ｂのキー操作、すなわち変更確定操作を検出すると、メモリ制御部１５を通じて、表示部１３に表示中の変更後の現在設定値を現在設定値メモリ１２に記憶更新した後、次の機能設定の現在設定値を現在設定値メモリ１２から読み出し、この読み出した機能設定の現在設定値を含む設定画面を、表示制御部１６を通じて表示部１３に表示するものである。
【００４２】
また、制御部１７は、特殊設定レベル中のモードキー１４Ｂのキー操作、すなわち第２表示操作を検出すると、メモリ制御部１５を通じて現在設定値メモリ１２に記憶中の機能設定の現在設定値を順次読み出し、この読み出した機能設定の現在設定値が初期値と異なる場合にのみ、同機能設定の設定画面を、表示制御部１６を通じて表示部１３に表示するものである。その結果、初期値と異なる現在設定値に関わる機能設定の設定画面のみを順次表示するものである。尚、特殊設定レベルは、レベルキー１４Ａのキー操作で指定するものである。
【００４３】
さらに、制御部１７の設定値変更部１７Ｂは、初期値と異なる現在設定値を含む設定画面を表示部１３に表示中に、アップキー１４Ｃ又はダウンキー１４Ｄのキー操作、すなわち現在設定値変更操作を検出すると、同表示部１３に表示中の設定画面上で現在設定値の値を変更した変更後の現在設定値を表示部１３に表示するものである。
【００４４】
さらに、制御部１７は、設定画面上で変更後の現在設定値を表示部１３に表示した後、再度、モードキー１４Ｂのキー操作、すなわち変更確定操作を検出すると、メモリ制御部１５を通じて、表示部１３に表示中の設定画面上の変更後の現在設定値を現在設定値メモリ１２に記憶更新した後、次の機能設定の現在設定値を現在設定値メモリ１２から読み出し、この読み出した現在設定値が初期値と異なる場合にのみ、同機能設定の設定画面を、表示制御部１６を通じて表示部１３に表示するものである。
【００４５】
尚、請求項記載の電子制御機器は温度調節器１、基準値記憶手段は初期値メモリ１１、現在設定値記憶手段は現在設定値メモリ１２、現在設定値変更手段は設定値変更部１７Ｂ、記憶更新手段はメモリ制御部１５、制御手段は制御部１７、表示手段は表示部１３、比較手段は比較部１７Ｃ、報知手段は制御部１７、表示制御部１６及び表示部１３に相当するものである。
【００４６】
次に本実施の形態を示す温度調節器１の動作について説明する。図４は本実施の形態に関わる第１現在設定値確認処理に関わる温度調節器１内の制御部１７の処理動作を示すフローチャートである。
【００４７】
図４に示す第１現在設定値確認処理は、現在設定値メモリ１２に記憶中の機能設定の現在設定値を順次読み出し、この読み出した機能設定の現在設定値を含む設定画面を表示部１３に表示する際に、同機能設定の現在設定値が初期値と異なる場合、同機能設定の現在設定値の他に変更ステータスを含む設定画面を表示部１３に表示すると共に、同表示部１３に表示中の設定画面上で機能設定の現在設定値を変更可能にした処理である。
【００４８】
図４において制御部１７は、第１表示操作を検出したか否かを判定する（ステップＳ１１）。尚、第１表示操作は、通常設定レベル中のモードキー１４Ｂのキー操作に相当するものである。
【００４９】
制御部１７は、第１表示操作を検出したのであれば、現在設定値メモリ１２に記憶中の機能設定の現在設定値を読み出し（ステップＳ１２）、この読み出した現在設定値の機能設定に対応した初期値を初期値メモリ１１から読み出し、この読み出した機能設定の初期値と、ステップＳ１２にて読み出した同機能設定の現在設定値とを比較部１７Ｃを通じて比較し（ステップＳ１３）、同機能設定の現在設定値が初期値と異なるか否かを判定する（ステップＳ１４）。
【００５０】
制御部１７は、同機能設定の現在設定値が初期値と異なる場合、同機能設定の現在設定値５１の他に変更ステータス５２を含む設定画面（図３のステップＳ３参照）を表示部１３に表示する（ステップＳ１５）。尚、ユーザは、設定画面上の変更ステータス５２で現在設定値が初期値と異なる機能設定であることを一目で認識することができる。
【００５１】
また、制御部１７は、ステップＳ１４にて機能設定の現在設定値が初期値と異ならない、すなわち同一の場合、同機能設定の現在設定値５１を含む設定画面（図３のステップＳ４参照）を現在設定値通常表示として表示部１３に表示する（ステップＳ１６）。尚、ユーザは、設定画面上に変更ステータス５２がないため、現在設定値が初期値のままの機能設定であることを一目で認識することができる。
【００５２】
また、制御部１７は、ステップＳ１５にて機能設定の現在設定値及び変更ステータスを含む設定画面を表示部１３に表示した場合、又はステップＳ１６にて機能設定の現在設定値を含む設定画面を表示部１３に表示した場合、表示部１３に現在表示中の設定画面上の機能設定の現在設定値に対する変更操作を検出したか否かを判定する（ステップＳ１７）。尚、現在設定値変更操作は、アップキー１４Ｃ又はダウンキー１４Ｄのキー操作に相当するものである。
【００５３】
制御部１７は、ステップＳ１７にて表示部１３に現在表示中の機能設定の現在設定値に対する変更操作を検出したのであれば、変更後の現在設定値を含む設定画面を表示部１３に表示する（ステップＳ１８）。尚、同設定画面を表示部１３に表示する際に、変更後の現在設定値が初期値と異なる場合は現在設定値の他に変更ステータスを表示するようにしても良い。
【００５４】
制御部１７は、ステップＳ１７にて変更後の現在設定値を含む設定画面を表示部１３に表示すると、設定画面上の変更後の現在設定値を確定する変更確定操作を検出したか否かを判定する（ステップＳ１９）。尚、変更確定操作は、次の機能設定の現在設定値を含む設定画面を表示部１３に切替表示するモードキー１４Ｂのキー操作に相当するものである。
【００５５】
制御部１７は、変更確定操作を検出すると、この設定画面上の変更後の機能設定の現在設定値を現在設定値メモリ１２に更新し（ステップＳ２０）、現在設定値メモリ１２内に次の機能設定の現在設定値があるか否かを判定する（ステップＳ２１）。
【００５６】
制御部１７は、ステップＳ２１にて次の機能設定の現在設定値がないと判定されると、現在設定値メモリ１２内の全ての機能設定に関わる設定画面が表示されたものと判断し、この処理動作を終了する。
【００５７】
また、制御部１７は、ステップＳ２１にて次の機能設定の現在設定値があると判定されると、次の機能設定の現在設定値を現在設定値メモリ１２から読み出すべく、ステップＳ１２に移行する。
【００５８】
また、制御部１７は、ステップＳ１７にて表示部１３に現在表示中の設定画面上の現在設定値に対する変更操作を検出したのでなければ、次の機能設定の設定画面の表示操作を検出したか否かを判定する（ステップＳ２２）。尚、次の機能設定の設定画面の表示操作は、モードキー１４Ｂのキー操作に相当するものである。
【００５９】
また、制御部１７は、ステップＳ２２にて次の機能設定の設定画面の表示操作を検出したのであれば、現在設定値メモリ１２内に次の機能設定の現在設定値があるか否かを判定すべく、ステップＳ２１に移行する。
【００６０】
また、制御部１７は、ステップＳ２２にて次の機能設定の設定画面の表示操作を検出したのでなければ、現在表示中の設定画面上の現在設定値の変更操作を監視すべく、ステップＳ１７に移行する。
【００６１】
また、制御部１７は、ステップＳ１１にて第１表示操作を検出したのでなければ、この処理動作を終了する。
【００６２】
また、制御部１７は、ステップＳ１９にて変更確定操作を検出したのでなければ、現在表示中の設定画面上の現在設定値の変更操作を検出したか否かを監視すべく、ステップＳ１７に移行する。
【００６３】
図４に示す第１現在設定値確認処理によれば、通常設定レベル中のモードキー１４Ｂのキー操作を検出する度に、現在設定値メモリ１２に記憶中の機能設定の現在設定値を順次読み出し、この読み出した機能設定の現在設定値を含む設定画面を表示部１３に順次表示するに際し、機能設定の現在設定値が初期値と異なる場合は同機能設定の現在設定値の他に変更ステータスを含む設定画面を表示部１３に表示するようにしたので、温度調節器１側のユーザは、表示部１３の設定画面上で機能設定毎の現在設定値を順次確認する際に、設定画面上の変更ステータスの有無で初期値を変更した現在設定値の機能設定を容易に確認することができる。
【００６４】
尚、図４に示す第１現在設定値確認処理においては、通常設定レベル中のモードキー１４Ｂのキー操作を検出する度に、現在設定値メモリ１２に記憶中の機能設定の現在設定値を順次読み出し、この読み出した機能設定の現在設定値を含む設定画面を、初期値から変更後の現在設定値、初期値のままの現在設定値も含めて、全ての機能設定の設定画面を表示部１３に順次表示するようにしたが、例えば機能設定が多く、初期値を変更した現在設定値の機能設定のみを確認したい場合、変更ステータスの有無に注目しながら、全機能設定の設定画面を順次確認する必要がある。
【００６５】
そこで、このような事態に対処する第２現在設定値確認処理について説明する。図５は第２現在設定値確認処理に関わる制御部１７の処理動作を示すフローチャートである。
【００６６】
図５に示す第２現在設定値確認処理は、現在設定値メモリ１２に記憶中の現在設定値に関わる全機能設定の設定画面を表示部１３に順次表示するのではなく、現在設定値メモリ１２に記憶中の全機能設定の現在設定値の内、初期値と異なる現在設定値に関わる機能設定の設定画面のみを表示部１３に順次表示する処理である。
【００６７】
図５において制御部１７は、第２表示操作を検出したか否かを判定する（ステップＳ３１）。尚、第２表示操作は、特殊設定レベルでのモードキー１４Ｂのキー操作に相当するものである。
【００６８】
制御部１７は、第２表示操作を検出したのであれば、現在設定値メモリ１２に記憶中の機能設定の現在設定値を読み出し（ステップＳ３２）、この読み出した現在設定値の機能設定に対応した初期値を初期値メモリ１１から読み出し、この読み出した機能設定の初期値と、ステップＳ３２にて読み出した現在設定値とを比較部１７Ｃを通じて比較し（ステップＳ３３）、同機能設定の現在設定値が初期値と異なるか否かを判定する（ステップＳ３４）。
【００６９】
制御部１７は、機能設定の現在設定値が初期値と異ならない場合、すなわち現在設定値が初期値と同一の場合、同機能設定の設定画面を表示する現在設定値通常表示を実行することなく、現在設定値メモリ１２内に次の機能設定の現在設定値があるか否かを判定する（ステップＳ３５）。
【００７０】
制御部１７は、次の機能設定の現在設定値があると判定されると、次の機能設定の設定画面を表示する現在設定値通常表示を実行することなく、同機能設定の現在設定値を現在設定値メモリ１２から読み出すべく、ステップＳ３２に移行する。
【００７１】
また、制御部１７は、ステップＳ３４にて機能設定の現在設定値が初期値と異なる場合、同機能設定の現在設定値の他に変更ステータスを含む設定画面を表示部１３に表示し（ステップＳ３６）、現在表示中の設定画面上の現在設定値に対する変更操作を検出したか否かを判定する（ステップＳ３７）。尚、変更操作は、アップキー１４Ｃ又はダウンキー１４Ｄのキー操作に相当するものである。
【００７２】
制御部１７は、機能設定の現在設定値に対する変更操作を検出したのであれば、変更後の機能設定の現在設定値を含む設定画面を表示部１３に表示する（ステップＳ３８）。尚、同設定画面を表示部１３に表示する際に、変更後の現在設定値が初期値と異なる場合は現在設定値の他に変更ステータスを表示するようにしても良い。
【００７３】
さらに、制御部１７は、変更後の現在設定値の設定画面を表示部１３に表示した後、設定画面上の変更後の機能設定の現在設定値を確定する変更確定操作を検出したか否かを判定する（ステップＳ３９）。
【００７４】
制御部１７は、設定画面上の変更後の現在設定値を確定する変更確定操作を検出したのであれば、変更後の機能設定の現在設定値を現在設定値メモリ１２に更新し（ステップＳ４０）、現在設定値メモリ１２内に次の機能設定の現在設定値があるか否かを判定すべく、ステップＳ３５に移行する。
【００７５】
また、制御部１７は、ステップＳ３７にて設定画面上の現在設定値に対する変更操作を検出したのでなければ、次の機能設定の設定画面を表示すべく、表示操作を検出したか否かを判定する（ステップＳ４１）。尚、表示操作は、特殊設定レベル中のモードキー１４Ｂのキー操作に相当するものである。
【００７６】
制御部１７は、表示操作を検出したのであれば、現在設定値メモリ１２内に次の機能設定の現在設定値があるか否かを判定すべく、ステップＳ３５に移行する。
【００７７】
また、制御部１７は、ステップＳ４１にて表示操作を検出したのでなければ、現在表示中の設定画面上の現在設定値に対する変更操作を検出したか否かを監視すべく、ステップＳ３７に移行する。
【００７８】
また、制御部１７は、ステップＳ３９にて設定画面上の変更後の現在設定値に対する変更確定操作を検出したのでなければ、現在表示中の設定画面上の現在設定値に対する変更操作を検出したか否かを判定すべく、ステップＳ３７に移行する。
【００７９】
図５に示す第２現在設定値確認処理によれば、特殊設定レベル中のモードキー１４Ｂのキー操作を検出する度に、現在設定値メモリ１２に記憶中の機能設定の現在設定値を順次読み出し、この読み出した現在設定値の内、初期値と異なる現在設定値に関わる機能設定の設定画面のみを表示部１３に順次表示するようにしたので、温度調節器１側のユーザは、全機能設定の設定画面を順次表示するのではなく、図６に示すように機能設定Ａの設定画面（ステップＳ５１）→機能設定Ｂの設定画面（ステップＳ５２）→機能設定Ｙの設定画面（ステップＳ５３）→…といった具合に、初期値と異なる現在設定値に関わる機能設定の設定画面のみを表示部１３に順次表示することになるため、初期値と異なる現在設定値の機能設定を迅速に確認することができる。
【００８０】
本実施の形態によれば、現在設定値メモリ１２に記憶中の機能設定毎の現在設定値を含む設定画面を表示部１３に順次表示する場合、同機能設定の初期値を初期値メモリ１１から読み出し、この読み出した同機能設定の初期値と、同機能設定の現在設定値とを比較し、同機能設定の現在設定値が同機能設定の初期値と異なる場合、同機能設定の現在設定値の他に変更ステータスを含む設定画面を表示部１３に表示するようにしたので、温度調節器１側のユーザは、変更ステータスの有無に基づき、特別な機器を要することなく、複数の機能設定から初期値と異なる現在設定値に変更した機能設定を確認する作業負担を大幅に軽減することができる。
【００８１】
また、本実施の形態によれば、通常設定レベル中のモードキー１４Ｂのキー操作を検出する度に、現在設定値メモリ１２に記憶中の機能設定毎の現在設定値を順次読み出し、この読み出した現在設定値を含む設定画面を表示部１３に順次表示すると共に、特殊設定レベル中のモードキー１４Ｂのキー操作を検出する度に、機能設定毎の設定画面を表示部１３に順次表示する際に、初期値と異なる現在設定値に関わる機能設定の設定画面のみを表示部１３に順次表示するようにしたので、温度調節器１側のユーザは、通常設定レベル中のモードキー１４Ｂのキー操作に応じて機能設定毎の現在設定値を順次認識することができると共に、特殊設定レベル中のモードキー１４Ｂのキー操作に応じて初期値と異なる機能設定の現在設定値を迅速に認識することができる。
【００８２】
尚、上記実施の形態においては、機能設定毎に現在設定値が初期値と異なる場合、現在設定値５１の他に変更ステータス５２を含む設定画面を表示部１３に表示するようにしたが、変更ステース５２で識別表示するのではなく、例えば現在設定値を点滅表示して表示形態を変化させて識別表示、又は設定画面上の表示色を変化させて識別表示するようにしても良く、同様の効果が得られることは言うまでもない。
【００８３】
また、同様に、機能設定毎に現在設定値が初期値と異なる場合、現在設定値５１の他に変更ステータス５２を含む設定画面を表示部１３に表示するようにしたが、変更ステータス５２ではなく、ビープ音等で現在設定値が初期値と異なる旨を報知するようにしても、同様の効果が得られることは言うまでもない。
【００８４】
また、上記実施の形態においては、基準値として工場出荷時に設定した初期値を例に上げて説明したが、例えばユーザが前回に設定した設定値を基準値とするようにしても、同様の効果が得られることは言うまでもない。
【００８５】
また、上記実施の形態においては、電子制御機器として、例えばヒータ等の加熱温度を目標温度に温度制御する温度調節器１を例に挙げて説明したが、例えばＦＡシステムで使用されるタイマカウンタやデジタルパネルメータ等は勿論のこと、機能設定毎の初期値に基づき現在設定値を変更する機能を備えた電子制御機器全般に適用可能であることは言うまでもない。
【産業上の利用可能性】
【００８６】
本発明の電子制御機器によれば、現在設定値記憶手段に記憶中の機能設定の現在設定値を表示手段に表示する場合、同機能設定の現在設定値が同機能設定の基準値と異なる場合、同機能設定の現在設定値が同機能設定の基準値と異なる旨を報知するようにしたので、電子制御機器側のユーザは、報知内容に基づき、特別な機器を要することなく、複数の機能設定から基準値と異なる現在設定値に変更した機能設定を確認する作業負担を大幅に軽減することができるため、例えば機能設定数が極めて多い高機能化したＦＡシステムに使用する温度調節器等の電子制御機器に有用である。
【図面の簡単な説明】
【００８７】
【図１】本発明の電子制御機器に関わる実施の形態を示す温度調節器内部の概略構成を示すブロック図である。
【図２】本実施の形態を示す温度調節器の正面図である。
【図３】本実施の形態を示す温度調節器の各機能設定に関わる設定画面の遷移図である。
【図４】本実施の形態に関わる第１現在設定値確認処理に関わる制御部の処理動作を示すフローチャートである。
【図５】本実施の形態に関わる第２現在設定値確認処理に関わる制御部の処理動作を示すフローチャートである。
【図６】第２の現在設定値確認処理の各機能設定に関わる設定画面の遷移図である。
【図７】本出願人が考案した近年の温度調節器内部の概略構成を示すブロック図である。
【図８】同温度調節器の初期設定時の各機能設定に関わる設定画面の遷移図である。
【図９】同温度調節器の機能設定変更後の各機能設定に関わる設定画面の遷移図である。
【符号の説明】
【００８８】
１  温度調節器（電子制御機器）
１１  初期値メモリ（基準値記憶手段）
１２  現在設定値メモリ（現在設定値記憶手段）
１３  表示部（表示手段、報知手段）
１５  メモリ制御部（記憶更新手段）
１６  表示制御部（報知手段）
１７  制御部（制御手段、報知手段）
１７Ｂ  設定値変更部（現在設定値変更手段）
１７Ｃ  比較部（比較手段）
【図１】
2008269301.tif 000003
【図２】
2008269301.tif 000004
【図３】
2008269301.tif 000005
【図４】
2008269301.tif 000006
【図５】
2008269301.tif 000007
【図６】
2008269301.tif 000008
【図７】
2008269301.tif 000009
【図８】
2008269301.tif 000010
【図９】
2008269301.tif 000011